(57)【要約】【課題】  簡単に着脱ができ、且つ係止している間は、その係着状態が簡単に解れることのない係止具を提供する。【解決手段】  環状枠体４０及び４１には、向かい合う先端に形成された切り欠き辺５０ａ〜５１ｂと、切り欠き辺近傍であって、その先端部を中心に点対称な表裏両面の夫々の位置に、嵌め合わせ可能な状態に形成された嵌合部６０ａ〜６１ｂと、嵌合部の凹み面に夫々設置された磁石７０ａ〜７１ｂと、環状枠体４０に、その凹みの上にせり出すように形成されたオーバーハング８０ａ及び８０ｂと、環状枠体４１の嵌合部の環状内側面側であって、環状枠体の間で上記凹み同士が向かい合わせに嵌合された場合には、上記オーバーハング８０ａ及び８０ｂに咬み合うように、環状枠体４１に設置された突き出し片９１ａ及び９１ｂとを有している。【選択図】        図３
2006247090.tif 000002
【特許請求の範囲】
【請求項１】
全体が環状枠体で形成され、
該環状枠体には、側面から見た場合に、向かい合う先端が尖った先端部で形成された切り欠き辺と、
環状枠体の該切り欠き辺近傍であって、該環状枠体側面から見た場合に、前記先端部を中心に点対称な表裏両面の夫々の位置に、凹みで形成され、その凹み同士が２つの環状枠体間で向かい合わせに嵌合された場合には、その２つの環状枠体が平面上に重ね合わせられるように、嵌め合わせ可能な状態に形成された嵌合部と、
これら嵌合部の凹み面に夫々設置された磁石と
を有することを特徴とする係止具。
【請求項２】
全体が２つの環状枠体で形成され、
両環状枠体には、側面から見た場合に、向かい合う先端が尖った先端部で形成された切り欠き辺と、
これらの環状枠体の該切り欠き辺近傍であって、該環状枠体側面から見た場合に、前記先端部を中心に点対称な表裏両面の夫々の位置に、凹みで形成され、その凹み同士が２つの環状枠体間で向かい合わせに嵌合された場合には、その２つの環状枠体が平面上に重ね合わせられるように、嵌め合わせ可能な状態に形成された嵌合部と、
これら嵌合部の凹み面に夫々設置された磁石と、
その環状枠体の少なくとも１つに、その凹みの切り欠き辺に近い側にその凹みの上にせり出すように形成されたオーバーハングと、
少なくとも１つの上記環状枠体の嵌合部の環状内側面側であって、２つの環状枠体の間で上記凹み同士が向かい合わせに嵌合された場合には、凹みの上の上記オーバーハングに咬み合うように、その環状枠体の少なくとも１つに設置された突き出し片と
を有することを特徴とする係止具。
【発明の詳細な説明】
【技術分野】
【０００１】
本発明は、装飾具の留め金具などとして用いられる係止具に関する。
【背景技術】
【０００２】
従来は、装飾具の留め金具などとして、図５に示すような１つのリング体１００と孔１１０開き板状体１１１により構成される係止具が用いられていた。
【０００３】
すなわち、一方が中空管状のもので環状に形成されたリング体１００は、その内部に弾発力によって突出する突出片１０１を有しており、該突出片１０１に固定された操作片１０２の引き戻しによって、該環状の部分に、開放部分ができ、そこを通って、その環状内部に、もう一方の板状体１１１が入り、上記突出片１０１がその弾発力によって元に押し戻されて、リング体１００と板状体１１１が係止された状態になる、留め金具構成がある。
【発明の開示】
【発明が解決しようとする課題】
【０００４】
しかし、そのような係止具がネックレスなどに用いられた場合、宝飾品などが係止具と反対の側につけられているため、体の前側で該係止具が係止されず、手を後に回し、後側で上記の係止がなされることになる。そのため上記係止具の係止状態が目視・確認できず、ネックレスなどの装着がなかなかできないことが多くなる。特に上記リング体１００及び板状体１１１の大きさは、非常に小さく、先端部にあるそのリング体１００を指先で掴むことさえ難しく、ましてや、操作片１０２を操作して、リング体１００の開放部に、もう一方の板状体１１１の孔１１０を挿入することは、非常に時間を要する作業となっていた。
【０００５】
その傾向は、年齢に関係なく、これらのアクセサリを身に纏う人ほど、そのような作業時間が煩わしいと思うことが多い。従って簡単に着脱ができ、且つ係止している間は、その係止状態が解れることのない、しっかり係着された状態になる係止具の提供が望まれていた。
【０００６】
本発明は、以上のような問題に鑑み創案されたもので、簡単に着脱ができ、且つ係止している間は、その係着状態が簡単に解れることのない係止具を提供せんとするものである。
【課題を解決するための手段】
【０００７】
そのため本発明に係る係止具は、
全体が環状枠体で形成され、
該環状枠体には、側面から見た場合に、向かい合う先端が尖った先端部で形成された切り欠き辺と、
環状枠体の該切り欠き辺近傍であって、該環状枠体側面から見た場合に、前記先端部を中心に点対称な表裏両面の夫々の位置に、凹みで形成され、その凹み同士が２つの環状枠体間で向かい合わせに嵌合された場合には、その２つの環状枠体が平面上に重ね合わせられるように、嵌め合わせ可能な状態に形成された嵌合部と、
これら嵌合部の凹み面に夫々設置された磁石と
を有することを基本的特徴としている。
【０００８】
上記構成によれば、上記の構成を少なくとも２つ用いて、しっかりした係着状態に設定することができることになる。すなわち、互いに十字の状態に、上記切り欠き辺が突合されて、相対的に内側に向けて押し出して、互いの輪内に入り込んだ後、今度は、平面状になるようにひねり合わせれば、互いの嵌合部同士が嵌合し、２つの環状枠体が平面上に重ね合わせられた状態で、係止できることになる。しかもその嵌合部同士が嵌合し合う際、両嵌合部の凹み面に設置された磁石が互いに引っ張り合うため、ひねりをあまり加えなくても、磁石の力で引き寄せ合うため、嵌合し易く、且つ一旦嵌合した場合、ぴったり平面上に重ね合わせられた状態で、何かの力が外部から加わらない限り、容易に、その嵌合状態が解れることがない。
【０００９】
上記の互いに十字の状態に、上記切り欠き辺を突合させる場合も、嵌合部の凹みが環状枠体のどこにあるか指などで簡単に確かめられるため、嵌合部の近くにある切り欠き辺の位置は、手探りで容易に分かり、且つ環状枠体平面部全体をさわって操作することで、互いに十字の状態に、上記切り欠き辺を突合させることもできるようになる。
【００１０】
また一旦これらの環状枠体がぴったり平面上に重ね合わせられた状態になった時は、見た目も、美観的に統一された、一つのアクセサリとして扱うようにもできるようになる。たとえば、環状枠体がＣ状に形成されたものであれば、Ｃが、開放側を重ねて、互いにつながった状態に係止されるため、単なる係止具ではなく、アクセサリとして扱えるようになる。
【００１１】
他方請求項２の係止具の構成は、図１に示すように、
全体が２つの環状枠体４０及び４１で形成され、
両環状枠体４０及び４１には、側面から見た場合に、向かい合う先端が尖った先端部で形成された切り欠き辺５０ａ、５０ｂ、５１ａ及び５１ｂと、
これらの環状枠体４０及び４１の該切り欠き辺５０ａ、５０ｂ、５１ａ及び５１ｂ近傍であって、該環状枠体４０及び４１側面から見た場合に、前記先端部を中心に点対称な表裏両面の夫々の位置に、凹みで形成され、その凹み同士が２つの環状枠体４０及び４１間で向かい合わせに嵌合された場合には、図３に示すように、その２つの環状枠体４０及び４１が平面上に重ね合わせられるように、嵌め合わせ可能な状態に形成された嵌合部６０ａ、６０ｂ、６１ａ及び６１ｂと、
これら嵌合部６０ａ、６０ｂ、６１ａ及び６１ｂの凹み面に夫々設置された磁石７０ａ、７０ｂ、７１ａ及び７１ｂと、
その環状枠体の少なくとも１つ（４０）に、その凹みの切り欠き辺５０ａ及び５０ｂに近い側にその凹みの上にせり出すように形成されたオーバーハング８０ａ及び８０ｂと、
少なくとも１つの上記環状枠体（４１）の嵌合部６１ａ及び６１ｂの環状内側面側であって、２つの環状枠体４０と４１の間で上記凹み同士が向かい合わせに嵌合された場合には、凹みの上の上記オーバーハング８０ａ及び８０ｂに咬み合うように、その環状枠体の少なくとも１つ（４１）に設置された突き出し片９１ａ及び９１ｂと
を有することを特徴としている。
【００１２】
これは、上記嵌合部６０ａ、６０ｂ、６１ａ及び６１ｂの嵌合が、磁石で容易に嵌合できるようになるというだけではなく、嵌合後、それぞれの環状枠体４０及び４１が、それらが係止しようとする対象（例えばネックレスなど）の重みで、図３に示すように、互いに反対方向に引っ張られるので、上記オーバーハング８０ａ及び８０ｂと突き出し片９１ａ及び９１ｂとが、図４に示すように、咬み合う状態で、接合されることになる。このようにすると、嵌合後係止しようとする対象（例えばネックレスなど）が装着されている限り、嵌合部６０ａ、６０ｂ、６１ａ及び６１ｂの接合が強固になり、容易に外れることはない。しかも上述のように、これらの環状枠体４０及び４１がぴったり平面上に重ね合わせられた状態になるので、見た目も、美観的に統一された、一つのアクセサリとして扱うようにもなる。
【発明の効果】
【００１３】
本発明の請求項１記載の係止具によれば、互いに十字の状態に、上記切り欠き辺が突合されて、相対的に内側に向けて押し出して、互いの輪内に入り込んだ後、今度は平面状になるようにひねり合わせれば、互いの嵌合部同士が嵌合し、２つの環状枠体が平面上に重ね合わせられた状態で係止でき、しかもその嵌合部同士が嵌合し合う際、両嵌合部の凹み面に設置された磁石が互いに引っ張り合うため、ひねりをあまり加えなくても、磁石の力で引き寄せ合うため、嵌合し易く、且つ一旦嵌合した場合、ぴったり平面上に重ね合わせられた状態で、何かの力が外部から加わらない限り、容易にその嵌合状態が解れることがないという優れた効果を奏することになる。
【００１４】
また上記の互いに十字の状態に、上記切り欠き辺を突合させる場合も、嵌合部の凹みが環状枠体のどこにあるか指などで簡単に確かめられるため、嵌合部の近くにある切り欠き辺の位置は、手探りで容易に分かり、且つ環状枠体平面部全体をさわって操作することで、互いに十字の状態に、上記切り欠き辺を突合させることもできるようになる。
【００１５】
さらに一旦これらの環状枠体がぴったり平面上に重ね合わせられた状態になった時は、単なる係止具ではなく、見た目も美観的に統一された、一つのアクセサリとして扱うようにもできるようになる。
【００１６】
他方請求項２記載の係止具によれば、上記嵌合部の嵌合が、磁石で容易に嵌合できるようになるというだけではなく、嵌合後、それぞれの環状枠体が、それらが係止しようとする対象（例えばネックレスなど）の重みで、互いに反対方向に引っ張られるので、上記オーバーハングと突き出し片とが咬み合う状態で、接合されることになる。このようにすると、嵌合後係止しようとする対象（例えばネックレスなど）が装着されている限り、嵌合部の接合が強固になり、容易に外れることはない。
【発明を実施するための最良の形態】
【００１７】
以下、本発明の請求項２に係る実施の形態を図示例と共に説明する。
図１〜図４は、本発明の請求項２に係る係止具の実施形態構成を示している。
【００１８】
基本的に、２つの環状枠体４０及び４１で構成されることになるが、その詳細な構成は、以下のようになる。
【００１９】
すなわち、本実施例構成では、全体が２つの環状枠体４０及び４１で形成されると共に、
両環状枠体４０及び４１には、側面から見た場合に、向かい合う先端が尖った先端部で形成された切り欠き辺５０ａ、５０ｂ、５１ａ及び５１ｂと、
これらの環状枠体４０及び４１の該切り欠き辺５０ａ、５０ｂ、５１ａ及び５１ｂ近傍であって、該環状枠体４０及び４１側面から見た場合に、前記先端部を中心に点対称な表裏両面の夫々の位置に、凹みで形成され、その凹み同士が２つの環状枠体４０及び４１間で向かい合わせに嵌合された場合には、図３に示すように、その２つの環状枠体４０及び４１が平面上に重ね合わせられるように、嵌め合わせ可能な状態に形成された嵌合部６０ａ、６０ｂ、６１ａ及び６１ｂと、
これら嵌合部６０ａ、６０ｂ、６１ａ及び６１ｂの凹み面に夫々設置された磁石７０ａ、７０ｂ、７１ａ及び７１ｂと、
その環状枠体の少なくとも１つ（４０）に、その凹みの切り欠き辺５０ａ及び５０ｂに近い側にその凹みの上にせり出すように形成されたオーバーハング８０ａ及び８０ｂと、
少なくとも１つの上記環状枠体（４１）の嵌合部６１ａ及び６１ｂの環状内側面側であって、２つの環状枠体４０と４１の間で上記凹み同士が向かい合わせに嵌合された場合には、凹みの上の上記オーバーハング８０ａ及び８０ｂに咬み合うように、その環状枠体の少なくとも１つ（４１）に設置された突き出し片９１ａ及び９１ｂと
を有している。
【００２０】
上記実施例構成によれば、上記係止具１及び３を用いて、しっかりした係着状態に設定することができることになる。すなわち、図２に示すように、互いに十字の状態に、上記切り欠き辺５０ａ、５０ｂ、５１ａ及び５１ｂが突合されて、相対的に内側に向けて押し出して、互いの輪内に入り込んだ後、今度は、図３に示すように、平面状になるようにひねり合わせれば、互いの嵌合部６０ａ、６０ｂ、６１ａ及び６１ｂ同士が嵌合し、２つの環状枠体４０及び４１が平面上に重ね合わせられた状態で、係止できることになる。しかもその嵌合部６０ａ、６０ｂ、６１ａ及び６１ｂ同士が嵌合し合う際、これらの嵌合部６０ａ、６０ｂ、６１ａ及び６１ｂの凹み面に設置された磁石７１ａと７０ｂ、７０ａと７１ｂが互いに引っ張り合うため、ひねりをあまり加えなくても、これらの磁石７１ａと７０ｂ、７０ａと７１ｂの力で引き寄せ合うため、嵌合し易く、且つ一旦嵌合した場合、ぴったり平面上に重ね合わせられた状態で、何かの力が外部から加わらない限り、容易に、その嵌合状態が解れることがない。
【００２１】
さらに、上記嵌合部６０ａ、６０ｂ、６１ａ及び６１ｂの嵌合が、磁石７１ａと７０ｂ、７０ａと７１ｂで容易に嵌合できるようになるというだけではなく、嵌合後、それぞれの環状枠体４０及び４１が、それらが係止しようとする対象（例えばネックレスなど）の重みで、図３に示すように、互いに反対方向に引っ張られるので、上記オーバーハング８０ａ及び８０ｂと突き出し片９１ａ及び９１ｂとが、図４に示すように、咬み合う状態で、接合されることになる。このようにすると、嵌合後係止しようとする対象（例えばネックレスなど）が装着されている限り、嵌合部６０ａ、６０ｂ、６１ａ及び６１ｂの接合が強固になり、容易に外れることはない。
【００２２】
上記の互いに十字の状態に、上記切り欠き辺５０ａ、５０ｂ、５１ａ及び５１ｂを突合させる場合も、嵌合部６０ａ、６０ｂ、６１ａ及び６１ｂの凹みが環状枠体のどこにあるか指などで簡単に確かめられるため、嵌合部６０ａ、６０ｂ、６１ａ及び６１ｂの近くにある切り欠き辺５０ａ、５０ｂ、５１ａ及び５１ｂの位置は、手探りで容易に分かり、且つ環状枠体４０及び４１の平面部全体をさわって操作することで、互いに十字の状態に、上記切り欠き辺５０ａ、５０ｂ、５１ａ及び５１ｂを突合させることもできるようになる。
【００２３】
また一旦これらの環状枠体４０及び４１がぴったり平面上に重ね合わせられた状態になった時は、見た目も、美観的に統一され、単なる係止具ではなく、一つのアクセサリとして扱うようにもできるようになる。
【００２４】
尚、本発明の係止具は、上述の図示例にのみ限定されるものではなく、本発明の要旨を逸脱しない範囲内において種々変更を加え得ることは勿論である。尚、上記実施例とは異なり、係止具として１及び２の同一の構成を用いれば、請求項１の構成を用いることになる。
【産業上の利用可能性】
【００２５】
本発明の係止具は、宝飾品などのアクセサリの係止具として、またアクセサリそのものとして用いることができる。
【図面の簡単な説明】
【００２６】
【図１】２つの環状枠体４０及び４１で構成される本発明の実施例構成を示す平面図である。
【図２】環状枠体４０及び４１を、互いに十字の状態に、上記切り欠き辺５０ａ、５０ｂ、５１ａ及び５１ｂを突合させて、係止を開始する状態を示す斜視図である。
【図３】係止状態になり、ネックレスなどの重みによる引っ張りで、その係着の様子が強固になった状態を示す説明図である。
【図４】本実施例構成で、オーバーハング８０ａ及び８０ｂと突き出し片９１ａ及び９１ｂとが、咬み合う状態で接合されている様子を示す説明図である。
【図５】装飾具などに用いられる従来の留め金具の使用状態説明図である。
【符号の説明】
【００２７】
１、２、３                    係止具
４０、４１                      環状枠体
５０ａ、５０ｂ、５１ａ、５１ｂ  切り欠き辺
６０ａ、６０ｂ、６１ａ、６１ｂ  嵌合部
７０ａ、７０ｂ、７１ａ、７１ｂ  磁石
８０ａ、８０ｂ                  オーバーハング
９１ａ、９１ｂ                  突き出し片
１００                            リング体
１０１                            突出片
１０２                            操作片
１１０                            孔
１１１                            板状体
【図１】
2006247090.tif 000003
【図２】
2006247090.tif 000004
【図３】
2006247090.tif 000005
【図４】
2006247090.tif 000006
【図５】
2006247090.tif 000007